(57)【要約】      （修正有）【課題】本発明は、ＣＡＮのバスにかかるロードとエラー確率を減少させて、バスで生じる送受信を複数個のノードで検出して実時間モニタリングが可能なＣＡＮ通信を利用した統合放送システムを提供する。【解決手段】ＣＡＮ通信を利用した統合放送システムは、圧縮及び復元部、通信部を含む複数個の放送装置と、表示モジュールを有するチェック装置を含む。【選択図】図２
2018067897.tif 000002
【特許請求の範囲】
【請求項１】
統合放送システムを構成する各個別放送装置である装置１、２、３、…、ｎ(ｎは有限な自然数)間のデータ通信をＣＡＮ(Controller Area Network)方式によって遂行して、装置１〜ｎは６４ビットのデータフィールドをそれぞれ８ビットを有する８個の信号で見做して圧縮されたデータのＤＬＣ(Data Length Code)を計算して、圧縮されたデータのＤＬＣが圧縮前データのＤＬＣより小さな場合、圧縮されたデータを送って、圧縮されたデータのＤＬＣが圧縮前データのＤＬＣより大きいか、または同じ場合、圧縮前データを送って、受信側では既定義されている各メッセージＩＤのＤＬＣをチェックして伝送されたＣＡＮフレームの圧縮如何を判断する圧縮及び復元部と、及び
ＣＡＮバスケーブルに連結されてデータ送受信を遂行する第１送受信機に連結される第１ノードと、ＣＡＮバスケーブルに連結されてデータ送受信を遂行する第２送受信機に連結される第２ノードを含んで、圧縮及び復元部を通じて圧縮されたデータまたは圧縮前データを第１ノードで伝送(Ｔｘ)時に第２ノードで直ちにデータを受信(Ｒｘ)して、現在送受信状態を実時間に点検してエラーを検出できるようにする通信部と、
を含む、ＣＡＮ通信を利用した統合放送システム。
【請求項２】
ヘッダー、リストボックス、スクロールバーで構成されるリストコンポーネントであらかじめ記憶されたリスト個数が多いほどリストコンポーネントにリストを新たに追加する時かかる時間が長くなることを防止するために、チェックが始まれば受信されるデータをメモリーに記憶して、リストコンポーネントに一つの画面に表示可能な数であるｋ(ｋは有限な自然数)個のリストだけ追加させて、受信されるデータの数がｋを超過する場合、メモリーだけにデータを記憶してリストコンポーネントにリストは追加させない状態でスクロールバーの範囲を受信されたデータの数字程度変更するようにして、
使用者がスクロールバーを動かす場合、スクロールバーの位置によってメモリーからデータを読んで来て既に加えられていたリストにデータを変えて画面を更新する時に新しいデータを出力するようにするリスト表示モジュールを含んで、
装置１〜ｎに連結されて実時間チェックを遂行するチェック装置、を含む、請求項１に記載のＣＡＮ通信を利用した統合放送システム。
【請求項３】
装置１〜ｎのうちで少なくとも一つはデジタルマトリックスアンプを含む、請求項１に記載のＣＡＮ通信を利用した統合放送システム。
【請求項４】
装置１〜ｎのうちで少なくとも一つはデジタルマスターコントローラーを含む、請求項１に記載のＣＡＮ通信を利用した統合放送システム。
【発明の詳細な説明】
【技術分野】
【０００１】
本発明は、統合放送システムに関するものである。より詳細には、ＣＡＮのバスにかかるロードとエラー確率を減少させて、バスで生じる送受信を複数個のノードで検出して実時間モニタリングが可能なＣＡＮ通信を利用した統合放送システムに関するものである。
【背景技術】
【０００２】
最近通信素子と制御素子技術が大きく発展するによって、多様のデータ情報を実時間取り交わさなければならないデジタル統合放送システムが構築されている。
【０００３】
統合放送システムは建物の高層化、住商複合建物及び個人私生活による被害を最小化するために特定地域や建物を対象にして制限的に放送するための装置やシステムを意味する。
【０００４】
このような統合放送システムを分散された多くの対象端末らを制御する制御手段と、対象機器ら間のデータ交換のための通信手段によってデジタル化した場合デジタル統合放送システムと称える。
【０００５】
デジタル統合放送システムは、放送の全体的な過程を統合的で有機的に進行する中央放送制御装置は勿論、複合的な放送を進行するための多様な入力装置、放送システムを構成する複数の装置らに電力を供給するための大電力電源供給装置、集合建物の場合世代や地域(洞)、学校の場合講堂、教室、体育館、視聴覚室、音楽室など区画された複数の空間それぞれに分配される信号を最終的に受信して放送するための複数の受信装置、そして、このような受信装置らに信号を分配するための信号分配装置など複数の装置らで構成される。
【０００６】
このように統合された形態の放送システムでは複数の装置や機器らが統合的なシステムを構成して放送をするようになるので、これを構成する複数の装置や機器らが有機的に構成されることが非常に重要である。
【０００７】
一方、ＣＡＮ(Controller Area Network)は初期に自動車用ネットワークプロトコルで開発されたものとして性能が優秀でありながらも、費用がチープでＩＳＯによって直列通信規約ＩＳＯ１１８９８国際標準で指定されて他の産業分野への適用が活発に適用されている。特に、ＣＡＮの高いデータ処理速度、電気的障害に対する力強い兔疫性とエラーを感知して校正する能力のために自動車だけではなく製造業、航空、鉄道などの多くの産業分野にも広く利用されることができる体系で知られている。
【０００８】
ＣＡＮ通信プロトコルは、ＯＳＩ参照モデルに基づいて定義された通信端末期間の情報交換方式を決めているが、ＯＳＩの７個階層中でＣＡＮのアーキテクチャーは、下位の物理的階層とデータリンク制御階層にかけて定義されている。ＣＡＮは優先順位を示す識別子(Identifier)によってメッセージの衝突を防止するので、優先順位のメッセージが遅延時間なしにバス(ＢＵＳ)を利用することができて実時間データ伝送に適している。
【０００９】
このような長所を有するＣＡＮ通信方式がデジタル統合放送システムに適用された例はまだ有り勝ちではない。
【００１０】
その理由を詳しく見れば次のようである。
【００１１】
第一、ＣＡＮバスを利用した装置間通信時に付与されたアイディーによって優先順位が与えられて、メッセージ衝突時優先順位が高いアイディーを有するメッセージをまず伝送させて低いアイディーを有するメッセージは伝送を中断するようにするが、通常的にＣＡＮでトラフィックが増加すれば平均伝送遅延が発生してメッセージ間の衝突が発生する可能性がある。
【００１２】
第二、複数の放送関連装置らがＣＡＮ通信で連結されて多量のデータを送受信する場合データ伝送量が多くなることによってＣＡＮのバスにかかるロード(load)とエラー確率が増加するようになる。
【００１３】
第三、各放送関連装置らの送受信データモニタリングのために受信データリストを画面に表示する時、受信したデータをメモリーに記憶して一定時間ごとにリスト出力コンポーネントにデータを追加して受信されたデータリストを出力するようになるが、受信したデータをメモリーに記憶するのにかかる時間はデータ量にかかわらず一定であるが、ディスプレイモジュールであらかじめ記憶されたリスト数が多いほどリストを新たに追加する時かかる時間が長くなるようになる。
【特許文献１】大韓民国登録特許公報第１１５２２２５号(２０１２．０５．２５登録)
【発明の概要】
【発明が解決しようとする課題】
【００１４】
本発明は、前記のような問題点を解決するために案出されたものであり、特に、放送システムにＣＡＮ通信を円滑に適用できるようにＣＡＮ通信を利用した統合放送システムを提供することにその目的がある。
【課題を解決するための手段】
【００１５】
前記目的を達成するために案出された本発明によるＣＡＮ通信を利用した統合放送システムは統合放送システムを構成する各個別放送装置である装置１、２、３、…、ｎ(ｎは有限な自然数)の間のデータ通信をＣＡＮ(Controller Area Network)方式によって遂行して、装置１〜ｎは６４ビットデータフィールドを、それぞれ８ビット有する８個の信号で見做して圧縮されたデータのＤＬＣ(Data Length Code)を計算して、圧縮されたデータのＤＬＣが圧縮前データのＤＬＣより小さな場合圧縮されたデータを送って、圧縮されたデータのＤＬＣが圧縮前データのＤＬＣより大きいか、または同じ場合に圧縮前データを送って、受信側では既定義されている各メッセージＩＤのＤＬＣをチェックして伝送されたＣＡＮフレームの圧縮如何を判断する圧縮及び復元部と、及びＣＡＮバスケーブルに連結されてデータ送受信を遂行する第１送受信機に連結される第１ノードと、ＣＡＮバスケーブルに連結されてデータ送受信を遂行する第２送受信機に連結される第２ノードを含んで圧縮及び復元部を通じて圧縮されたデータまたは圧縮前データを第１ノードから伝送(Ｔｘ)時に第２ノードで直ちにデータを受信(Ｒｘ)して現在送受信状態を実時間に点検してエラーを検出できるようにする通信部を含む。
【００１６】
また、本発明はヘッダー、リストボックス、スクロールバーで構成されるリストコンポーネントで予め記憶されたリスト個数が多いほどリストを新たに追加する時かかる時間が長くなることを防止するため、チェックが始まれば受信されるデータをメモリーに記憶して、リストコンポーネントに一つの画面に表示可能な数であるｋ(ｋは有限な自然数)個のリストだけ追加させて、受信されるデータの数がｋを超過する場合メモリーだけにデータを記憶してリストは追加させない状態でスクロールバーの範囲を受信されたデータの数字程度変更できるようにし、使用者がスクロールバーを動かす場合スクロールバーの位置によってメモリーからデータを読んで来て、既に追加されていたリストにデータを変えて画面を更新する時に新しいデータを出力するようにするリスト表示モジュールを含んで、装置１〜ｎに連結されて実時間チェックを遂行するチェック装置を含むことができる。
【発明の効果】
【００１７】
本発明によれば、伝送データ圧縮領域設定を通じて圧縮と復元を遂行するので、変化量を記憶するための最大変化量範囲を設定しなくても良いし、ＤＬＣの大きさによって圧縮有無を判断するので、２個のＩＤで圧縮如何を判断する必要のない効果がある。
【００１８】
また、本発明によれば複数個のノードを具備するが、第１ノードを基本通信をして同バス上に第２ノードでフィードバックする方式で、バスで生じる送受信を検出することで実時間モニタリングが可能な効果がある。
【００１９】
また、本発明によれば放送装置間の通信に対するチェック時に、使用者がスクロールバーを利用して出力範囲を変更しても画面に出力される２０〜３０個のリストだけメモリーから持って来て画面に出力するため、切られるか、または遅延される現象が発生しない効果がある。
【図面の簡単な説明】
【００２０】
【図１】図１は本発明の望ましい実施例によるＣＡＮ通信を利用した統合放送システムの構成図である。
【図２】図２は図１のうち通信部の具体的な構成を示した概念図である。
【発明を実施するための形態】
【００２１】
以下、本発明の望ましい実施例を添付された図面らを参照して詳しく説明する。まず、各図面の構成要素らに参照符号を付加するにおいて、同一な構成要素らに対してはたとえ他の図面上に表示されても可能な限り同一な符号を有するようにしていることに留意しなければならない。また、本発明を説明するにおいて、関連される公知構成または機能に対する具体的な説明が本発明の要旨を濁ごすことがあると判断される場合にはその詳細な説明は略する。また、以下で本発明の望ましい実施例を説明するが、本発明の技術的思想はこれに限定するか、または制限されないで当業者によって変形されて多様に実施されることができることは勿論である。
【００２２】
図１は、本発明の望ましい実施例によるＣＡＮ通信を利用した統合放送システムの構成図であり、図２は図１のうち通信部の具体的な構成を示した概念図である。
【００２３】
図１及び図２を参照すれば、相互データ交換と通信を遂行しなければならない統合放送システムの各放送装置間ＣＡＮ通信を構成するにおいて、各個別放送装置である装置１(１００)、装置２(２００)、装置３(３００)、…、装置ｎ(ｎは有限な自然数)はそれぞれ圧縮及び復元部１１０、２１０、５１０と通信部１２０、２２０、５２０を含む。また、本発明によるＣＡＮ通信を利用した統合放送システムは装置１〜ｎに連結されて実時間チェックを遂行するチェック装置６００をさらに含む。
【００２４】
圧縮及び復元部１１０、２１０、５１０はＤＬＣ(Data Length Code)によって圧縮有無を判断して伝送データ圧縮領域設定及びヘッダーを利用して送信データの圧縮と受信データの復元を遂行する。
【００２５】
標準ＣＡＮ２．０Ａでは１１ビット識別子を使って、２．０Ｂでは１１ビットまたは２９ビット識別子を使用する。１１ビット識別子を有する標準ＣＡＮデータフレーム(frame)は総７個のビット区間で分けることができるし、データフィールド(field)は一つのノードから他のノードに送ろうとするデータを含んで０〜８byteで構成される。データフィールドの前にはコントロールフィールド(Control Field)が位置して、コントロールフィールドの一部は４ビットのＤＬＣで満たされる。
【００２６】
データフィールドは最大６４bitで、ＩＤによって長さが異なってＣＡＮフレーム内で一番多いビット数を含んでいて一番効率的に圧縮されることができる領域である。
ＣＡＮノードでデータ伝送周期は放送時間を考慮すれば非常に短いので、以前データフレームと現在データフレームの変化量は大きくない。したがって、以前フレームと現在フレームの変化量さえ送れば、ＣＡＮメッセージデータ長さは大きく減少されることができる。
【００２７】
データ圧縮時に信号らの個数、すなわち、ＩＤの個数が多くて各信号らのビットサイズが不規則な場合、より多い処理時間が必要であって、ヘッダーを使用する場合信号らの個数増加によって、ヘッダーのビット数が増加されてヘッダーによるオーバーヘッドが増加するようになる。
【００２８】
圧縮及び復元部１１０、２１０、５１０は６４bitのデータフィールドをそれぞれ８bitを有する８個の信号と見做して圧縮されたデータのＤＬＣを計算する。
【００２９】
計算結果、圧縮されたデータのＤＬＣが圧縮前データのＤＬＣより小さな場合圧縮されたデータを送る。反面、圧縮されたデータのＤＬＣが圧縮前データのＤＬＣより大きいか、または同じ場合圧縮前データを送る。
【００３０】
受信側では既定義されている各メッセージＩＤのＤＬＣをチェックして伝送されたＣＡＮフレームの圧縮如何を判断する。よって、既存の一般的な方式のように２個のＩＤで圧縮如何を判断する必要がなくて効率性が向上される。
【００３１】
圧縮及び復元部１１０、２１０、５１０は圧縮のために送るデータらの圧縮領域を設定する。
【００３２】
圧縮及び復元部１１０、２１０、５１０のＣＡＮメッセージ圧縮(送信側)は次のような過程によって遂行される。
【００３３】
先ず、送信する圧縮対象メッセージが最初メッセージであるかを確認して最初メッセージである場合圧縮なしにそのまま送って(変化量がないので)、最初メッセージではない場合圧縮領域設定アルゴリズムを利用してデータ圧縮領域を設定する。ここで具体的な圧縮領域設定アルゴリズムに対しては説明を略して、一般的な圧縮領域設定アルゴリズムが使われることができる。
【００３４】
データ圧縮領域設定後メモリーマップを決めてＤＬＣを計算する。
【００３５】
計算結果、圧縮前データのＤＬＣ＞圧縮されたデータのＤＬＣである場合圧縮されたデータを送って、圧縮前データのＤＬＣ≦圧縮されたデータのＤＬＣである場合元々の圧縮前データを送る。
【００３６】
圧縮及び復元部１１０、２１０、５１０のＣＡＮメッセージ復元(受信側)は次のような過程によって遂行される。
【００３７】
先ず、受信された復元対象メッセージが最初メッセージであるか確認して最初メッセージの場合受信されたメッセージをそのまま現在信号値にして(変化量がないので)、最初メッセージではない場合に受信されたデータのＤＬＣ＜あらかじめ定義されたＤＬＣなら圧縮領域設定アルゴリズムを利用してデータ変化量を復元する。
【００３８】
データ変化量が復元されれば現在信号値は次のように計算される。
現在信号値=以前の信号値+変化量
圧縮及び復元部１１０、２１０、５１０はＤＬＣと伝送データ圧縮領域設定を通じて圧縮と復元を遂行するので、変化量を記憶するための最大変化量範囲を設定しなくても良いし、ＤＬＣの大きさによって圧縮有無を判断するので２個のＩＤで圧縮如何を判断する必要がない。
【００３９】
通信部１２０、２２０、５２０は各装置別に複数個のノードを使って第１ノードで伝送されるデータを第２ノードでフィードバックを受けて直ちにエラー検出が可能であるようにさせる。
【００４０】
このために装置１〜ｎの各通信部１２０、２２０、３２０、４２０は、図２を参照すれば、ＣＡＮバスケーブルに連結されてデータ送受信を遂行する第１送受信機１２６、２２６、３２６、４２６に連結される第１ノード１２２、２２２、３２２、４２２と、ＣＡＮバスケーブルに連結されてデータ送受信を遂行する第２送受信機１２８、２２８、３２８、４２８に連結される第２ノード１２４、２２４、３２４、４２４を含む。
【００４１】
圧縮及び復元部１１０、２１０、５１０を通じて圧縮されたデータまたは圧縮前データを第１ノード１２２、２２２、３２２、４２２から伝送(Ｔｘ)時、第２ノード１２４、２２４、３２４、４２４で直ちにデータを受信(Ｒｘ)して現在送受信状態を実時間に点検してエラーを検出するようにする。
【００４２】
ＣＡＮは付与されたＩＤにしたがって優先順位が与えられてメッセージ衝突時優先順位が高いＩＤを有するメッセージをまず伝送させて、低いＩＤを有するメッセージは伝送を中断するようにする。一般にＣＡＮでトラフィックが増加すれば平均伝送遅延が発生する。
【００４３】
統合放送システムでＣＡＮバスに連結された装置１〜ｎが一つのノードを有する場合各ＩＤにしたがって優先順位が決まってメッセージを送るようになる。もしトラフィック増加で平均伝送遅延が発生する場合ネットワーク上でメッセージ間の衝突が発生することができる。
【００４４】
各通信部１２０、２２０、３２０、４２０は第１ノード１２２、２２２、３２２、４２２を基本通信をして同バス上に第２ノード１２４、２２４、３２４、４２４でフィードバックする方式で、バスで生じる送受信を検出する方式で実時間モニタリングが可能である。
【００４５】
すなわち、第２ノード１２４、２２４、３２４、４２４のフィードバック受信状態を既存データと比べた時、等しければ異常なしに送受信されるものとして判断して、そうではない場合にはエラーが発生したと判断して再伝送またはリセットなどを遂行することができる。
【００４６】
チェック装置６００は装置１〜ｎに連結されて実時間チェックを遂行する。
【００４７】
複数の放送装置らが相互ＣＡＮ通信を遂行する状況でエラー発生を迅速に検出して表示するために短時間に多いデータを正確にチェックする必要がある。
【００４８】
一般なモニタリングシステムの場合過去の車両データのように容量が少ない時はデータを実時間にディスプレイするのに大きい問題がないが、統合放送システムのように大容量が伝送される場合処理時間が長くかかって現場に使用するのに不適合である。特に、実時間で表示する場合一定時間を周期に受信したデータを処理してデータを表示してくれなければならないが、データの積もるほど周期が長くなる問題がある。
【００４９】
チェック装置の表示方式としては文字列をリストで表示する方式と、時間を横軸で、データ数値を縦軸とするグラフで表示する方式などがある。
【００５０】
リスト方式は受信したデータをメモリーに記憶して一定時間ごとにリスト出力コンポーネントにデータを追加する。受信したデータをメモリーに記憶するのにかかる時間はデータの量にかかわらず一定であるが、表示モジュールであらかじめ記憶されたリスト数が多いほどリスト出力コンポーネントにリストを新たに追加するのにかかる時間が長くなる。
【００５１】
本発明の表示モジュール６１０はあらかじめ記憶されたリスト個数が多いほどリスト追加時間が長くなることを防止するために、リスト出力コンポーネントにリスト追加時一つの画面に表示可能な個数(例えば３０個)で限定する。
【００５２】
表示モジュール６１０はヘッダー、リストボックス、スクロールバーで構成されるリストコンポーネントであらかじめ記憶されたリスト個数が多いほどリストを新たに追加する時かかる時間が長くなることを防止するため、チェックが始まれば受信されるデータをメモリーに記憶して、リストコンポーネントに一つの画面に表示可能な数であるｋ(ｋは有限な自然数)個のリストだけ追加させる。
【００５３】
受信されるデータの数がｋを超過する場合メモリーだけにデータを記憶してリストは追加させない状態でスクロールバーの範囲を受信されたデータの数字程度変更できるようにする。使用者がスクロールバーを動かす場合、スクロールバーの位置によってメモリーからデータを読んで来て、既存に加えられていたリストにデータを変えて画面を更新する時に新しいデータを出力するようにする。
【００５４】
例えば、リストを最初だけに３０個を追加した状態でそれ以上リストを追加または削除する必要がないので性能問題を解決し、表示可能なデータの数もメモリーに記憶可能なデータの数と同一になる。
【００５５】
表示モジュール６１０によれば、リストを追加するのにかかる時間があらかじめ記憶されたリスト数とかかわらず同一であって、使用者がスクロールバーを利用して出力範囲を変更しても画面に出力される２０〜３０個のリストだけメモリーから持って来て画面に出力するために、切られるか、または遅延される現象が発生しない。
【００５６】
図示しなかったが、装置１〜ｎはそれぞれ確認部、復元部、検出部をさらに含むことができる。
【００５７】
確認部は単純にエラー発生如何を知らせることを超えて、発生したエラーの詳細情報を上位階層に提供する。すなわち、確認部はビット単位エラー検出とフレーム単位エラー検出は勿論、エラーの種類に対して上位階層に詳細情報を提供する。
【００５８】
ＣＡＮのエラーとしてはバスケーブルの物理的エラー、物理的エラーによって論理階層で誘発されるフレームエラーなどがある。
【００５９】
バスケーブルのエラーとしてはＣＡＮ_Ｈ、ＣＡＮ_Ｌ線の断線、ＣＡＮ_Ｈ、ＣＡＮ_Ｌ線のＶＣＣ短絡、ＣＡＮ_Ｈ、ＣＡＮ_Ｌ線のＧＮＤ短絡、ＣＡＮ_Ｈ線とＣＡＮ_Ｌ線の短絡、ＣＡＮ_Ｈ線とＣＡＮ_Ｌ線の同一位置断線、ネットワークの縦断連結喪失などがある。
【００６０】
フレームエラーとしては、送る信号レベルをモニタリングしてビットレベルが異なる場合に発生するBit Error、同一な信号レベルを有するビットストリームの長さが既設定された特定ビット異常である場合発生するStuff Error、ＣＡＮメッセージでＣＲＣ Delimiter、ＡＣＫ Delimiter、End of FrameとIntermission部分は固定されたフォーマットを有するが、この部分の値に異常がある場合発生するForm Error、ＣＡＮメッセージを送るコントローラーはACK Slotにrecessive levelの信号を送って、このメッセージを正常に受信したすべてのノードはACK Slotにdominant levelの信号をメッセージに送るようになっているが、ＣＡＮメッセージを送ったノードがメッセージを受信した時にACK Slotの信号がdominant levelではない場合に発生するACK Errorなどがある。
【００６１】
一方、ＣＡＮバスケーブルやモジュールにエラーが発生すれば、ＣＡＮモジュールの送信エラーカウンターが増加して特定カウンター(例えば、２５６)になればbus off状態になる。これは一ノードのＣＡＮエラーのために正常である他のノードがＣＡＮバスを使用することができない状況を防止する。復元部はエラーが解決された状況でも続いてbus off状態にとどまっていることを防止するために自動復元機能を提供する。例えば、ＡＢＯ(Auto Bus On)ビットを１で設定すれば、bus off状態で１２８×１１個のrecessive(１)ビットを受信した後再びbus on状態になる。
【００６２】
検出部はＣＡＮバスに連結された各ノードの活性化状態を検出し、ＣＡＮバスの通信機能が中断されたノードを確認して更新が中断された情報によって制御ロジッグを修正するか、またはシステムを中断する。
【００６３】
装置１〜ｎは各個別放送装置に該当する。
【００６４】
装置１〜ｎは音源信号を生成する音源装備、音源装備から音源信号の入力を受けて音源のボリューム値を確認し、ボリュームとトーンを調節して設定値によって任意のチャンネルに出力させるデジタルオーディオミキサー、デジタルオーディオミキサーと電気的に連結されるオーディオ入力部、音源装備と電気的に連結される音源装備連結端子、ネットワーク網を通じて全体システムの設定及び操作ができるようにするイーザネット連結端子、オーディオ入力部を通じて入力された音源信号を設定値によって任意のチャンネルに出力させるオーディオマトリックスＩＣ、オーディオ出力端子を含むデジタルマスターコントローラー、デジタルマスターコントローラーで出力された音源信号の入力を受けるオーディオ入力部、オーディオ入力部を通じて入力された音源信号を設定値によって任意のチャンネル組合で出力させるオーディオマトリックスＩＣ、オーディオマトリックスＩＣに出力された音源信号を増幅するデジタル増幅部、オーディオマトリックスＩＣとデジタル増幅部の動作を設定値によって制御して動作状態を分析する主制御ＩＣ、デジタルマスターコントローラーから出力された音源信号の入力を受けて電力増幅を遂行するパワーアンプを内蔵するデジタルマトリックスアンプ、デジタルマスターコントローラーと有無線ネットワークを通じて連結されてデジタルオーディオミキサーとデジタルマトリックスアンプを含んだ全体システムの動作状態をモニタリングしてボリューム制御するシステムＰＣを含むことができる。
【００６５】
以上の説明は本発明の技術思想を例示的に説明したことに過ぎないものであり、本発明が属する技術分野で通常の知識を有した者なら本発明の本質的な特性から脱しない範囲内で多様な修正、変更及び置き換えが可能であろう。よって、本発明に開示された実施例及び添付された図面らは本発明の技術思想を限定するためではなく説明するためのものであり、このような実施例及び添付された図面によって本発明の技術思想の範囲が限定されるものではない。本発明の保護範囲は下の請求範囲によって解釈されなければならないし、それと同等な範囲内にあるすべての技術思想は本発明の権利範囲に含まれるものとして解釈されなければならないであろう。
【産業上の利用可能性】
【００６６】
以上説明したように、本発明によれば、伝送データ圧縮領域設定を通じて圧縮と復元を遂行するので変化量を記憶するための最大変化量範囲を設定しなくても良いし、ＤＬＣの大きさによって圧縮有無を判断するので、２個のＩＤで圧縮如何を判断する必要のない効果がある。
【００６７】
また、本発明によれば複数個のノードを具備するが、第１ノードで基本通信をして同バス上に第２ノードでフィードバックする方式でバスで生じる送受信を検出することで実時間モニタリングが可能な効果がある。
【００６８】
また、本発明によれば放送装置間の通信に対するチェック時に、使用者がスクロールバーを利用して出力範囲を変更しても画面に出力される２０〜３０個のリストだけメモリーから持って来て画面に出力するため、切られるか、または遅延される現象が発生しない効果がある。
【符号の説明】
【００６９】
１００、２００、３００、４００、５００  装置１〜ｎ
１１０、２１０、５１０  圧縮及び復元部
１２０、２２０、３２０、４２０、５２０  通信部
１２２、２２２、３２２、４２２  第１ノード
１２４、２２４、３２４、４２４  第２ノード
１２６、２２６、３２６、４２６  第１送信機
１２８、２２８、３２８、４２８  第２送信機
６００  チェック装置
６１０  表示モジュール
【図１】
2018067897.tif 000003
【図２】
2018067897.tif 000004